(57)【特許請求の範囲】
【請求項１】
情報が記憶されたカードが挿入されるカード挿入口と、
少なくとも前記情報の読み取りを行う情報アクセス部と、
前記カード挿入口から前記情報アクセス部に到るまでの前記カードの搬送経路を備える搬送機構であって、該搬送経路において前記カード挿入口から前記情報アクセス部に向けて前記カードを搬送するカード受取搬送と前記情報アクセス部から前記カード挿入口に向けて前記カードを搬送するカード排出搬送とを行う搬送機構と、
前記搬送経路において前記カードを前記搬送経路に押し付けるように駆動可能な押付部材を有するカード挟持機構であって、前記カードの不正取得に関連付けが可能なカード異常が検知されると、前記押付部材により前記カードを前記搬送経路において挟持するカード挟持機構と、
前記搬送経路に向けて駆動可能なガード部材を有するガード機構であって、前記カード挟持機構が前記カードを挟持すると、前記カードのカード挟持箇所よりも前記カード挿入口の側の搬送経路上流で、前記ガード部材を前記挟持された前記カードの表面に押し当てるガード機構とを備える、カード処理装置。
【請求項２】
請求項１に記載のカード処理装置であって、
前記カード挟持機構は、前記搬送経路の上方側でカード搬送方向と交差して水平に延びる第１揺動軸を有し、
前記押付部材は、前記第１揺動軸に鉛直面において揺動可能に保持されると共に、前記第１揺動軸と平行に形成された係合筒状体を有し、
前記ガード部材は、前記押付部材の前記係合筒状体が入り込む孔部を有し、
前記ガード機構は、前記孔部と前記係合筒状体との係合により、前記押付部材の揺動に連動して前記ガード部材を前記カードの表面に押し当てる、カード処理装置。
【請求項３】
請求項１に記載のカード処理装置であって、
前記カード挟持機構は、前記搬送経路の上方側でカード搬送方向と交差して水平に延びる第１揺動軸を有し、
前記押付部材は、前記第１揺動軸に鉛直面において揺動可能に保持されると共に、前記第１揺動軸と平行に形成された第１フックと、該第１フックに一方端が係合される引張部材とを備え、
前記ガード機構は、前記搬送経路の上方側でカード搬送方向と交差して水平に延びる第２揺動軸を有し、
前記ガード部材は、前記第２揺動軸に鉛直面において揺動可能に保持されると共に、前記押付部材の前記第１フックに係合された前記引張部材の他端が係合される第２フックを有し、
前記ガード機構は、前記第１フックと前記第２フックと前記引張部材と前記第１揺動軸と前記第２揺動軸とで形成されたリンクにより、前記ガード部材を、前記押付部材の揺動に連動して前記カードの表面を押し当てるように揺動させる、カード処理装置。
【請求項４】
請求項３に記載のカード処理装置であって、
前記第２揺動軸を中心に揺動する前記ガード部材は、前記挟持されたカードの表面と対向し該表面に押し当てられる押当部位を、前記搬送経路の上方側ほど前記カードの表面までの隔たりが増すような円弧形状で有する、カード処理装置。
【請求項５】
請求項４に記載のカード処理装置であって、
前記押当部位は、前記第２揺動軸から前記カードの表面までの隔たりより大きい半径の円弧形状で形成されている、カード処理装置。
【請求項６】
請求項４または請求項５に記載のカード処理装置であって、
前記ガード部材は、前記押当部位の円弧の中心が前記第２揺動軸と偏心するようにして、前記円弧形状の前記押当部位を有する、カード処理装置。
【発明の詳細な説明】
【技術分野】
【０００１】
本発明は、カード処理装置に関するものである。
【背景技術】
【０００２】
カード処理装置は、自動取引装置（Automated Teller Machine; 以下、単にＡＴＭとも称する）や現金自動支払い機（Cash Dispenser;以下、単にＣＤとも称する）に実装され、広く普及している。ＡＴＭやＣＤでは、磁気カードやＩＣカード（以下、両カードを単にカードと称する）を媒体として支払等の各種決済がなされ、カード処理装置は、カード挿入口から挿入されたカードを搬送しつつ、カードに書き込み済みの各種情報を読み取る。近年では、偽のカード挿入口とカード保持機構とを備えた不正機器を、偽のカード挿入口と正規のカード挿入口とが連続するように、カード処理装置の前面に取り付けて、カードを不正に持ち去る不正行為が報告されている。こうした不正行為は、フィッシングと称され、フィッシングのための不正機器が装着された非正常なカード処理装置では、不正機器にてカードが一時的に保持されてしまうため、不正機器が未装着の正常な状況に比してカード検知タイミングやカード搬送状況が相違するカード異常が起きる。こうしたことを利用してフィッシング対策を図るべく、カード異常が起きた場合には、カード処理装置において、カード抜き取り防止用の歯列をカード表面に押し付けてカードを挟持する不正防止手法が提案されている（特許文献１）。
【先行技術文献】
【特許文献】
【０００３】
【特許文献１】特開２００５−５６３７６号公報
【発明の概要】
【発明が解決しようとする課題】
【０００４】
上記特許文献で提案された不正防止手法では、歯列を有する駆動部材の回転方向制限によりカード引き抜き側の力には対抗できる。ところが、カード挿入方向に歯列が押されると駆動部材の回転方向制限を図るレバーが解除方向に回るため、次のような不正行為に対しての対処が不十分であることが指摘されるに到った。
【０００５】
フィッシングを意図する不正行為者は、カード処理装置においてカードが挟持された状態でカードの上に薄板等を差し込み、その後、この薄板をカード挿入方向に押し込む。そうすると、薄板がカードの表面を滑って歯列を押すことになるので、駆動部材の回転方向制限を図るレバーが解除方向に回って、カードはカード処理装置の搬送経路において拘束を受けなくなる。よって、カードは、単独で、或いは薄板と共に、カード処理装置から引き抜き可能な状態となり、不正行為者によるカードの不正な持ち去りが起き得る。こうしたことから、カードの不正な持ち去りを防止可能な対処手法を提供することが求められるに至った。
【課題を解決するための手段】
【０００６】
本発明は、上述の課題の少なくとも一部を解決するためになされたものであり、次の形態として実現することが可能である。本発明の形態は、
情報が記憶されたカードが挿入されるカード挿入口と、
少なくとも前記情報の読み取りを行う情報アクセス部と、
前記カード挿入口から前記情報アクセス部に到るまでの前記カードの搬送経路を備える搬送機構であって、該搬送経路において前記カード挿入口から前記情報アクセス部に向けて前記カードを搬送するカード受取搬送と前記情報アクセス部から前記カード挿入口に向けて前記カードを搬送するカード排出搬送とを行う搬送機構と、
前記搬送経路において前記カードを前記搬送経路に押し付けるように駆動可能な押付部材を有するカード挟持機構であって、前記カードの不正取得に関連付けが可能なカード異常が検知されると、前記押付部材により前記カードを前記搬送経路において挟持するカード挟持機構と、
前記搬送経路に向けて駆動可能なガード部材を有するガード機構であって、前記カード挟持機構が前記カードを挟持すると、前記カードのカード挟持箇所よりも前記カード挿入口の側の搬送経路上流で、前記ガード部材を前記挟持された前記カードの表面に押し当てるガード機構とを備える。
【発明の効果】
【０００７】
上記の形態のカード処理装置は、カード異常が検知されると、カード挟持機構により押付部材にてカードを搬送経路において挟持すると共に、このカード挟持箇所よりもカード挿入口の側の搬送経路上流において、ガード機構によりガード部材を挟持されたカードの表面に押し当てる。この結果、上記の形態のカード処理装置によれば、仮に、ステンレスなどの薄板がカードの上に重ねてカード挿入口に挿入されても、この薄板がガード部材を越えてカード挟持箇所に達する事を阻止できるので、薄板を用いた不正行為、例えば、押付部材の駆動解除等をできないようにする。この結果、上記の形態のカード処理装置によれば、カードの不正な持ち去りを防止できる。
上記した以外の課題、並びにこれを解決する構成および効果は、以下の実施形態の説明により明らかにされる。
【図面の簡単な説明】
【０００８】
【図１】本実施形態のカード処理装置１の概略構成を示す説明図である。
【図２】カード処理装置１の要部構成を拡大して概略的に示す説明図である。
【図３】カード処理装置１の要部構成を斜視して概略的に示す説明図である。
【図４】不正行為対処制御の制御手順を示すフローチャートである。
【図５】不正行為に対する対処制御に伴うカード挟持レバー８とガード部材９の駆動状況を示す説明図である。
【図６】不正行為を阻止する様子を示す説明図である。
【図７】不正行為の阻止状態を拡大して示す説明図である。
【図８】他の実施形態のカード処理装置１Aの要部構成を拡大して概略的に示す説明図である。
【図９】カード処理装置１Aの要部構成をカードＣの搬送方向上流側から斜視して概略的に示す説明図である。
【図１０】カード処理装置１Aの要部構成をカードＣの搬送方向下流側から斜視して概略的に示す説明図である。
【図１１】引張バネ１４と第１フック８ｄおよび第２フック９ｄの関係を示す説明図である。
【図１２】不正行為に対する対処制御に伴うカード挟持レバー８とガード部材９の駆動状況を示す説明図である。
【図１３】不正行為を阻止する様子を示す説明図である。
【図１４】不正行為の阻止状態を拡大して示す説明図である。
【図１５】円弧形状としたガード先端片９ｃの他の形態を説明する説明図である。
【発明を実施するための形態】
【０００９】
以下、本発明の実施の形態について、図面に基づき説明する。図１は本実施形態のカード処理装置１の概略構成を示す説明図、図２はカード処理装置１の要部構成を拡大して概略的に示す説明図、図３はカード処理装置１の要部構成を斜視して示す説明図である。このカード処理装置１は、上位装置であるＡＴＭやＣＤに実装され、ＡＴＭやＣＤと電気的に接続される。カード処理装置１は、磁気カードやＩＣカード等のカードＣに記録された情報を読み取り、その読み取ったカード情報をＡＴＭやＣＤに送信する。
【００１０】
図示するように、カード処理装置１は、筺体１ａと、筺体１ａの端部に設けられたカード挿入口２と、カード挿入口２から筺体１ａの内部に到る搬送経路Ｃｐと、第１〜第３の搬送ローラー対３ａ〜３ｃと、磁気ヘッド４と、シャッター５と、カード読取センサー６と、第１〜第３のカード位置センサー７ａ〜７ｃと、カード挟持レバー８と、ガード部材９と、レバーストッパ部２０と、制御装置３０とを有する。
【００１１】
搬送経路Ｃｐは、カード挿入口２から磁気ヘッド４に到るまでのカード搬送路となる。カード挿入口２は、情報が記憶されたカードＣが挿入される挿入口であり、搬送経路Ｃｐの一端側に位置する。そして、カード挿入口以降の搬送経路Ｃｐに沿って、カード読取センサー６とシャッター５が配設され、その下流に、第１の搬送ローラー対３ａ、第１のカード位置センサー７ａ、第２の搬送ローラー対３ｂ、第２のカード位置センサー７ｂ、磁気ヘッド４、第３の搬送ローラー対３ｃおよび第３のカード位置センサー７ｃが順次、配設されている。
【００１２】
磁気ヘッド４は、補助ローラー３ｄで搬送案内されるカードＣに記憶された磁気情報を読み取り、読み取った磁気情報を制御装置３０に出力する。詳しくは、磁気ヘッド４は、搬送されるカードＣと接する位置に配置され、カードＣの磁気ストライプから磁気パターンを検出する。この際、磁気ヘッド４は、内蔵するコアとコイルによって磁気ストライプの磁力の変化を検出してそれを電圧の変化に変え、その電圧の変化を内蔵するアンプによって増幅して、制御装置３０に出力する。カード読取センサー６は、例えば磁気ヘッドから構成され、カード挿入口２へのカードＣの挿入の有無を検出し、その検出結果を制御装置３０に出力する。シャッター５は、カード読取センサー６にてカードＣが検出されない期間に亘って搬送経路Ｃｐを閉鎖し、カード読取センサー６にカードＣの挿入が検出されると、図１に示す位置に退避して、搬送経路Ｃｐにおける第１の搬送ローラー対３ａへのカードＣの受渡を許可する。
【００１３】
第１〜第３の搬送ローラー対３ａ〜３ｂは、それぞれ、搬送経路Ｃｐを挟んで上下一対に設けられており、制御装置３０にて駆動制御されるモーター２５の駆動力を受けて回転する。第１〜第３の搬送ローラー対３ａ〜３ｃは、モーター２５の正転駆動により、カードＣをカード挿入口２から磁気ヘッド４に向かう往路方向Ｆに搬送し、モーター２５の逆転駆動により、カードＣを磁気ヘッド４からカード挿入口２に向かう復路方向Ｂに搬送する。よって、第１〜第３の搬送ローラー対３ａ〜３ｃと搬送経路Ｃｐと制御装置３０の制御を受けて正逆回転するモーター２５は、搬送機構を構成する。
【００１４】
第１〜第３のカード位置センサー７ａ〜７ｃは、たとえば、フォトインタラプタであり、搬送経路ＣｐにおけるカードＣの位置を検出する。第１のカード位置センサー７ａは、カードＣに対するデータの読み取りを行う前にカードＣを待機させておく読み取り準備位置に配置されていて、カードＣが復路方向Ｂへ搬送されてこの位置に来ると、カードＣの後端部を検知する。第２のカード位置センサー７ｂは、磁気ヘッド４によってカードＣに対するデータの読み取りを開始する読み取り開始位置に配置されていて、カードＣが往路方向Ｆへ搬送されてこの位置に来ると、カードＣの先端部を検知する。第３のカード位置センサー７ｃは、磁気ヘッド４によるカードＣに対するデータの読み取りを終了する読み取り終了位置に配置されていて、カードＣが往路方向Ｆへ搬送されてこの位置に来ると、カードＣの先端部を検知する。
【００１５】
なお、往路方向Ｆへ搬送されるカードＣに対して情報の読み取りを行う際には、読み取り開始位置は、情報の読み取りを開始する読み取り開始位置となり、読み取り終了位置は、情報の読み取りを終了する読み取り終了位置となる。復路方向Ｂへ搬送されるカードＣに対して情報の読み取りを行う際には、読み取り開始位置は、情報の読み取りを開始する読み取り開始位置となり、準備位置は、情報の読み取りを終了する読み取り終了位置となる。
【００１６】
図２と図３に示すように、カード挟持レバー８とガード部材９は、関連付けて構成される。カード処理装置１は、筺体１ａの内部にトッププレートＴｐを備え、このトッププレートＴｐから、第１サイドプレートＳｐ１と第２サイドプレートＳｐ２とを搬送経路Ｃｐの側に平行に延ばして備える。第１サイドプレートＳｐ１は、搬送経路Ｃｐの上方側でカード搬送方向と交差して水平に延びる第１揺動軸８ａを備え、この第１揺動軸８ａにカード挟持レバー８を鉛直面において揺動可能に軸支する。この際の鉛直面は、第１サイドプレートＳｐ１の表面となる。こうして軸支されたカード挟持レバー８は、搬送経路Ｃｐと対向する側に凹凸が並んだ歯列８ｂと、第１揺動軸８ａと平行に延びる係合筒状体８ｃとを備える。カード挟持レバー８は、図示しないネジリコイルにより常時、図２と図３に示す矢印Ｘ方向に付勢されており、カード挟持レバー８の停止位置は、レバーストッパ部２０（図１参照）で規定される。このレバーストッパ部２０は、カード挟持用モーター２１に偏心カム２２を軸支して備える。そして、カード挟持レバー８は、カード挟持用モーター２１の回転駆動を受けて回転した偏心カム２２のカム面で規定される停止位置まで、ネジリコイルバネのバネ力を受けて矢印Ｘ方向に第１揺動軸８ａを中心に揺動して、歯列８ｂを搬送経路ＣｐにおけるカードＣに押し当て、カードＣを搬送経路Ｃｐに挟持する。よって、カード挟持レバー８と第１揺動軸８ａとレバーストッパ部２０とネジリコイルバネは、カード挟持機構を後述の制御装置３０と共に構成する。
【００１７】
第２サイドプレートＳｐ２は、搬送経路Ｃｐの上方側でカード搬送方向と交差して水平に延びる第２揺動軸９ａと、この第２揺動軸９ａに装着されたネジリコイルバネ１０とを備え、第２揺動軸９ａにガード部材９を鉛直面において揺動可能に軸支する。この際の鉛直面は、第２サイドプレートＳｐ２の表面となる。こうして軸支されたガード部材９は、ネジリコイルバネ１０のバネ力を図２と図３に示す矢印Ｙ方向に常時受ける。また、ガード部材９は、長孔形状に形成された係合孔９ｂと、ガード先端片９ｃとを備え、係合孔９ｂの天井壁面が案内面となるように、係合孔９ｂにカード挟持レバー８の係合筒状体８ｃを挿入させている。ネジリコイルバネ１０は、そのバネ力を既述したようにガード部材９に常時掛けているが、係合孔９ｂと係合筒状体８ｃとの係合により、ガード部材９は、通常、ガード先端片９ｃを搬送経路Ｃｐから離れた待機位置に置く。その一方、カード挟持レバー８が既述したように矢印Ｘ方向に揺動すると、係合孔９ｂにおける係合筒状体８ｃの係合位置が変わるので、ガード部材９は、ネジリコイルバネ１０のバネ力を受けて第２揺動軸９ａの軸回りに揺動して、ガード先端片９ｃを搬送経路ＣｐにおけるカードＣの表面に押し当てる。よって、ガード部材９と第２揺動軸９ａとガード先端片９ｃと係合孔９ｂおよびネジリコイルバネ１０は、ガード機構を後述の制御装置３０と共に構成する。また、第２揺動軸９ａの軸回りのガード部材９の揺動は、第１揺動軸８ａの軸回りのカード挟持レバー８の揺動に連動して起きることになる。
【００１８】
制御装置３０は、論理演算を実行するＣＰＵやＲＯＭ、ＲＡＭを備えたいわゆるコンピューターとして構成され、カード処理装置１におけるモーター２５等を統括制御して、カード挟持レバー８とガード部材９による不正行為対処を図る。
【００１９】
次に、カード処理装置１の制御装置３０にて実行される不正行為対処制御について説明する。図４は不正行為対処制御の制御手順を示すフローチャートである。図示するように、本実施形態のカード処理装置１における不正行為対処制御では、制御装置３０は、カード挿入口２へのカードＣの挿入の有無を検知し（ステップＳ１００）、カード挿入がなければ、何の処理も行うことなく、本ルーチンを終了する。制御装置３０は、カード読取センサー６からカード検知の信号を受け取るとカード挿入口２へのカード挿入があったと肯定判定し、シャッター５を開放駆動する（ステップＳ１１０）。これにより、搬送経路Ｃｐに沿ったカードＣの搬送が可能となる。
【００２０】
次に、制御装置３０は、不正行為があったか否かを判断する（ステップＳ１２０）。対象とする不正行為は、カード挿入口２に一旦挿入されたカードＣの不正取得を図るフィッシング行為であるので、カード挿入口２の前面には、偽のカード挿入口とカード保持機構とを備えた不正機器が、偽のカード挿入口とカード処理装置１のカード挿入口２とが連続するように、カード処理装置１の前面に取り付けられている。そうすると、この不正機器による一時的とはいえカードＣが保持されるため、カード読取センサー６からのカード読取信号に乱れが生じたり、ある一定期間に亘って同じ読み取り信号が得られる、或いは第１のカード位置センサー７ａからのカード検知信号出力に遅延が起きると云ったカード異常が起きる。よって、制御装置３０は、ステップＳ１２０において、カード読取センサー６や第１のカード位置センサー７ａからの入力信号を解析し、不正機器が未装着の時に得られる入力信号を相違すると、フィッシングという不正行為がなされ得ると肯定判定し、入力信号に相違がなければ、否定判定する。
【００２１】
ステップＳ１２０にて不正行為がないと否定判定すると、制御装置３０は、挿入されたカードＣの受け取り、磁気ヘッド４までのカード受取搬送（往路搬送）、磁気ヘッド４による情報読取・送信、カード挿入口２へのカードＣの返却搬送（袋搬送）等を通常通り実行し（ステップＳ１２５）、本ルーチンを終了する。
【００２２】
ステップＳ１２０にて不正行為が起き得ると肯定判定すると、制御装置３０は、不正行為阻止するための対処制御の実行（ステップＳ１３０）と、不正行為が起き得るとの上位装置への報告（ステップＳ１４０）とを行い、本ルーチンを終了する。図５は不正行為に対する対処制御に伴うカード挟持レバー８とガード部材９の駆動状況を示す説明図である。ステップＳ１３０の対処制御では、制御装置３０は、レバーストッパ部２０のカード挟持用モーター２１（図１参照）に駆動信号を出力して、カード挟持レバー８の停止位置を規定する。そうすると、図５に示すように、カード挟持レバー８は、図中に示す矢印Ｘ方向に第１揺動軸８ａを中心に揺動して、歯列８ｂを搬送経路ＣｐにおけるカードＣに押し当て、カードＣを搬送経路Ｃｐに挟持する。ガード部材９は、カード挟持レバー８の揺動に連動した係合孔９ｂと係合筒状体８ｃとの係合の推移により、図中に示す矢印Ｙ方向に第２揺動軸９ａを中心に揺動して、搬送経路Ｃｐから離れた待機位置のガード先端片９ｃを搬送経路ＣｐにおけるカードＣの表面に押し当てる。
【００２３】
以上説明した構成を備える本実施形態のカード処理装置１によれば、次の効果が得られる。図６は不正行為を阻止する様子を示す説明図、図７は不正行為の阻止状態を拡大して示す説明図である。これらの図に示すように、カード処理装置１は、カード挟持レバー８の揺動を経て歯列８ｂにてカードＣを搬送経路Ｃｐに挟持した状態で、このカードＣの表面にガード部材９のガード先端片９ｃを歯列８ｂによるカード挟持箇所より上流側で押し付けている。よって、不正行為者が、図６と図７に示すように、ステンレスプレート等の薄板ＳｐをカードＣに重ねてカード挿入口２から挿入しても、挿入された薄板Ｓｐは、ガード部材９のガード先端片９ｃに押し止められるので、ガード先端片９ｃを越えてカード挟持レバー８の歯列８ｂによるカード挟持箇所に到達できない。この結果、本実施形態のカード処理装置１によれば、薄板Ｓｐを用いたカード挟持レバー８の駆動解除をできないようにするので、カードＣの不正な持ち去りを確実に阻止できる。
【００２４】
本実施形態のカード処理装置１は、カード挟持レバー８の係合筒状体８ｃをガード部材９の係合孔９ｂに係合させ、この係合筒状体８ｃの係合の推移により、ガード部材９をカード挟持レバー８に連動して揺動する。よって、本実施形態のカード処理装置１によれば、カード挟持レバー８の揺動制御だけで、カードＣの挟持とカード表面へのガード先端片９ｃの押し当てを連動して実行でき、簡便となる。
【００２５】
次に、他の実施形態のカード処理装置１Ａについて説明する。図８は他の実施形態のカード処理装置１Aの要部構成を拡大して概略的に示す説明図、図９はカード処理装置１Aの要部構成をカードＣの搬送方向上流側から斜視して示す説明図、図１０はカード処理装置１Aの要部構成をカードＣの搬送方向下流側から斜視して示す説明図である。このカード処理装置１Ａにあっても、上位装置であるＡＴＭやＣＤに実装され、以下の構成を備える。なお、既述した実施形態と同一の機能を果たす部材については、同一の符号を付して図面に表し、詳細な説明については省略する。
【００２６】
この実施形態のカード処理装置１Ａは、図９と図１０に示すように、カード挟持レバー８を第１サイドプレートＳｐ１に設けた第１揺動軸８ａの軸回りに揺動可能に備え、ガード部材９についても、第２サイドプレートＳｐ２に設けた第２揺動軸９ａの軸回りに揺動可能に備える。カード挟持レバー８は、第１揺動軸８ａと平行にカード挟持レバー８から延びる第１フック８ｄと、この第１フック８ｄに一方端が係合される引張バネ１４とを備える。ガード部材９は、カード挟持レバー８と向かい合う側に第２フック９ｄを備え、この第２フック９ｄに、カード挟持レバー８の第１フック８ｄに一方端が係合された引張バネ１４の他端を係合させている。図１１は引張バネ１４と第１フック８ｄおよび第２フック９ｄの関係を示す説明図である。引張バネ１４は、第１フック８ｄと第２フック９ｄに、常時、引張力を及ぼす。カード挟持レバー８は、先の実施形態と同様に、図示しないネジリコイルバネにより図中の矢印Ｘ方向に常時付勢されており、図１１に示す状態では、カード挟持レバー８は、引張バネ１４からの引張バネ力も受ける。ところが、ねじりコイルバネのバネ力は、引張バネ１４のバネ力より大きいバネ力を及ぼすので、カード挟持レバー８は、レバーストッパ部２０（図１参照）で規定され停止位置に向けて図中の矢印Ｘ方向に付勢されて停止している。そして、図１１に示すように、第１フック８ｄは、第１揺動軸８ａの軸回りのカード挟持レバー８の揺動に伴って、第１揺動軸８ａを中心に位置を変え、第２フック９ｄにあっても、第２揺動軸９ａの軸回りのガード部材９の揺動に伴って、第２揺動軸９ａを中心に位置を変える。こうしたことから、引張バネ１４は、上記の両フックと両揺動軸とでリンクを形成する。
【００２７】
図１１に示す状態では、第１フック８ｄの中心軸８ｄｃと第２フック９ｄの中心軸９ｄｃとを結ぶ引張バネ１４の中心線８９ｄｃは、第１揺動軸８ａの中心軸８ａｃと第２揺動軸９ａの中心軸９ａｃを結ぶ線分８９ａｃより、図における下方側、即ち搬送経路Ｃｐ（図８参照）の側に位置する。このため、ガード部材９は、第２フック９ｄが搬送経路Ｃｐの側に向かう図中の矢印Ｘ方向に第２揺動軸９ａの軸回りに揺動を起こすので、ガード先端片９ｃを搬送経路Ｃｐから遠ざかるように図中の矢印Ｙ方向に付勢（揺動）させる。この状態から、カード挟持レバー８が第１揺動軸８ａの軸回りに図中の矢印Ｘ方向に揺動すると、第１フック８ｄの中心軸８ｄｃと第２フック９ｄの中心軸９ｄｃとを結ぶ引張バネ１４の中心線８９ｄｃは、第１揺動軸８ａの中心軸８ａｃと第２揺動軸９ａの中心軸９ａｃを結ぶ線分８９ａｃより、図における上方側、即ち搬送経路Ｃｐから遠ざかる側に位置するようになる。このため、ガード部材９は、第２フック９ｄが搬送経路Ｃｐから遠ざかるように第２揺動軸９ａの軸回りに揺動を起こすので、ガード先端片９ｃを搬送経路Ｃｐに向かう図中の矢印−Ｙ方向に付勢（揺動）させる。これにより、ガード部材９は、上記の引張バネ１４の力により、ガード先端片９ｃを、カード挟持レバー８の揺動に連動して搬送経路ＣｐにおけるカードＣの表面を押し当てる。つまり、この実施形態であっても、第２揺動軸９ａの軸回りのガード部材９の揺動は、第１揺動軸８ａの軸回りのカード挟持レバー８の揺動に連動して起きることになる。
【００２８】
この実施形態のガード部材９は、ガード先端片９ｃを円弧形状として備え、この円弧形状のガード先端片９ｃを、カード挟持レバー８の歯列８ｂで挟持されたカードＣの表面と対向させた上で、搬送経路Ｃｐの上方側、即ちカード挿入口２の側ほどカードＣの表面までの隔たりが増すような円弧形状とする。具体的には、ガード部材９は、第２揺動軸９ａから搬送経路ＣｐにおけるカードＣの表面までの隔たりより大きい半径の円弧形状でガード先端片９ｃを形成して備える。
【００２９】
この実施形態にあっても、図４で説明した不正行為対処制御がなされ、ステップＳ１２０にて不正行為を検知した後のステップＳ１３０の対処制御では、カード挟持レバー８とガード部材９とが次のように駆動する。図１２は不正行為に対する対処制御に伴うカード挟持レバー８とガード部材９の駆動状況を示す説明図である。この実施形態での対処制御であっても、制御装置３０は、レバーストッパ部２０のカード挟持用モーター２１（図１参照）に駆動信号を出力して、カード挟持レバー８の停止位置を規定する。そうすると、図１２に示すように、カード挟持レバー８は、図中に示す矢印Ｘ方向に第１揺動軸８ａを中心に揺動して、歯列８ｂを搬送経路ＣｐにおけるカードＣに押し当て、カードＣを搬送経路Ｃｐに挟持する。ガード部材９は、カード挟持レバー８の上記した揺動に伴う第１フック８ｄの位置変化により、引張バネ１４から第２揺動軸９ａの軸回りにおいて図中の矢印Ｙ方向に揺動するような引張力を受け、第２揺動軸９ａを中心に矢印Ｙ方向に揺動して、搬送経路Ｃｐから離れた待機位置のガード先端片９ｃを搬送経路ＣｐにおけるカードＣの表面に押し当てる。
【００３０】
以上説明した構成を備えるこの実施形態のカード処理装置１Ａによっても、次の効果が得られる。図１３は不正行為を阻止する様子を示す説明図、図１４は不正行為の阻止状態を拡大して示す説明図である。これらの図に示すように、カード処理装置１Ａは、カード挟持レバー８の揺動を経て歯列８ｂにてカードＣを搬送経路Ｃｐに挟持した状態で、このカードＣの表面にガード部材９のガード先端片９ｃを歯列８ｂによるカード挟持箇所より上流側で押し付けている。よって、不正行為者が、図１３と図１４に示すように、ステンレスプレート等の薄板ＳｐをカードＣに重ねてカード挿入口２から挿入しても、挿入された薄板Ｓｐは、ガード部材９のガード先端片９ｃに押し止められるので、ガード先端片９ｃを越えて歯列８ｂによるカード挟持箇所に到達できない。この結果、本実施形態のカード処理装置１Ａによっても、薄板Ｓｐを用いたカード挟持レバー８の駆動解除をできないようにするので、カードＣの不正な持ち去りを確実に阻止できる。
【００３１】
この実施形態のカード処理装置１Ａにあっては、カード挟持レバー８の第１フック８ｄとガード部材９の第２フック９ｄと両フックに装着された引張バネ１４を含むリンクにより、ガード部材９をカード挟持レバー８に連動して揺動する。よって、本実施形態のカード処理装置１Ａによっても、カード挟持レバー８の揺動制御だけで、カードＣの挟持とカード表面へのガード先端片９ｃの押し当てを連動して実行でき、簡便となる。
【００３２】
この実施形態のカード処理装置１Ａにあっては、カード挟持レバー８の歯列８ｂで挟持されたカードＣの表面に押し当てるガード部材９のガード先端片９ｃを、カード挿入口２の側ほどカードＣの表面までの隔たりが増すような円弧形状として備える。このため、図１４に示すようにカードＣに重ねてカード挿入口２に挿入された薄板Ｓｐは、ガード先端片９ｃの円弧形状面に突き当たり、この状態の薄板Ｓｐを搬送方向下流側に押圧する力は、ガード部材９を更に図中の矢印−Ｙ方向に揺動するよう作用し、薄板Ｓｐの先端部位をガード先端片９ｃが押さえ込む力が増す。よって、この実施形態のカード処理装置１Ａによれば、薄板Ｓｐの挿入押し込みをより確実に阻止できるので、カードＣの不正な持ち去り阻止の実効性を高めることができる。しかも、ガード先端片９ｃを上記したような円弧形状とするに当たり、その円弧形状を第２揺動軸９ａから搬送経路ＣｐにおけるカードＣの表面までの隔たりより大きい半径とするだけで済むので、簡便である。
【００３３】
本発明は、上述の実施形態や実施例、変形例に限られるものではなく、その趣旨を逸脱しない範囲において種々の構成で実現することができる。例えば、発明の概要の欄に記載した各形態中の技術的特徴に対応する実施形態、実施例、変形例中の技術的特徴は、上述の課題の一部または全部を解決するために、あるいは、上述の効果の一部または全部を達成するために、適宜、差し替えや、組み合わせを行うことが可能である。また、その技術的特徴が本明細書中に必須なものとして説明されていなければ、適宜、削除することが可能である。
【００３４】
上記した実施形態のカード処理装置１は、ガード部材９をカード挟持レバー８の揺動に連動して揺動したが、これに限らない。例えば、ガード部材９を、カード挟持レバー８の揺動とは個別に揺動可能に、或いは搬送経路ＣｐにおけるカードＣに対して上下動可能に構成する。その上で、ガード部材９を、カード挟持レバー８の揺動開始タイミングに合わせて、揺動制御或いは下降制御して、カード表面へのガード先端片９ｃの押し当てを図るようにしてもよい。
【００３５】
図１５は円弧形状としたガード先端片９ｃの他の形態を説明する説明図である。図示するように、ガード先端片９ｃを円弧形状とするに当たっては、円弧の中心点９ｃｃが第２揺動軸９ａと偏心する位置に来るようにして、ガード先端片９ｃを形成してもよい。こうすれば、カード挿入口２の側ほどカードＣの表面までの隔たりが増すような円弧形状のガード先端片９ｃを容易に得ることができる。そして、このように偏心させたガード先端片９ｃを有するガード部材９によっても、薄板Ｓｐを搬送方向下流側に押圧する力を利用して、薄板Ｓｐの先端部位をガード先端片９ｃが押さえ込む力が増すようにできるので、カードＣの不正な持ち去り阻止の実効性が高まる。
【符号の説明】
【００３６】
１，１Ａ…カード処理装置
１ａ…筺体
２…カード挿入口
３ａ〜３ｃ…第１〜第３の搬送ローラー対
３ｄ…補助ローラー
４…磁気ヘッド
５…シャッター
６…カード読取センサー
７ａ〜７ｃ…第１〜第３のカード位置センサー
８…カード挟持レバー
８ａ…第１揺動軸
８ｂ…歯列
８ｃ…係合筒状体
８ｄ…第１フック
８ａｃ…中心軸
８ｄｃ…中心軸
９…ガード部材
９ａ…第２揺動軸
９ｂ…係合孔
９ｃ…ガード先端片
９ｄ…第２フック
９ａｃ…中心軸
９ｃｃ…中心点
９ｄｃ…中心軸
１０…ネジリコイルバネ
１４…引張バネ
２０…レバーストッパ部
２１…カード挟持用モーター
２２…偏心カム
２５…モーター
３０…制御装置
８９ａｃ…線分
８９ｄｃ…中心線
Ｃ…カード
Ｆ…往路方向
Ｂ…復路方向
Ｃｐ…搬送経路
Ｔｐ…トッププレート
Ｓｐ…薄板
Ｓｐ１…第１サイドプレート
Ｓｐ２…第２サイドプレート
【図１】
0006506971.tif 000002
【図２】
0006506971.tif 000003
【図３】
0006506971.tif 000004
【図４】
0006506971.tif 000005
【図５】
0006506971.tif 000006
【図６】
0006506971.tif 000007
【図７】
0006506971.tif 000008
【図８】
0006506971.tif 000009
【図９】
0006506971.tif 000010
【図１０】
0006506971.tif 000011
【図１１】
0006506971.tif 000012
【図１２】
0006506971.tif 000013
【図１３】
0006506971.tif 000014
【図１４】
0006506971.tif 000015
【図１５】
0006506971.tif 000016